(57)【特許請求の範囲】
【請求項１】
機器本体に設けた主操作部と、機器本体の前面に設けたリモコンホルダーと、該リモコンホルダーに着脱自在に取り付け、少なくとも前記主操作部の操作スイッチより少なく操作スイッチを配したリモコン本体とを備え、前記リモコンホルダー裏面にはリモコン本体固定用磁石の磁石収納部を有し、かつ前記磁石を含むリモコンホルダー裏面を覆うごとく金属で形成した押さえ金具を配し、この押さえ金具に設けた切り起こし部で前記磁石をリモコンホルダー側に押さえ込み保持するようにした燃焼装置。
【請求項２】
押さえ金具は磁性体で形成するとともに、切り起こし部には磁石取付時の位置規制用の保持片を有する構成とした請求項１記載の燃焼装置。
【請求項３】
押さえ金具には本体と電気的に接続される箇所を少なくとも１箇所以上有する構成とした請求項１記載の燃焼装置。
【請求項４】
本体前板に複数の折曲片を有するリモコンホルダー取付用開口部を設け、前記折曲片を前記リモコンホルダーに設けた取付孔に挿入して前記リモコンホルダーを前記前板に一体化して取り付けたとき、前記折曲片とリモコンホルダー裏面を覆う押さえ金具に設けた接触片が常に接触するように構成した請求項３記載の燃焼装置。
【発明の詳細な説明】
【０００１】
【発明の属する技術分野】
本発明は、リモコンを有する燃焼装置において、特にリモコンの取付構成に関するものである。
【０００２】
【従来の技術】
一般にリモコンは機器本体に設けた主操作部とは別に設け、機器本体より離れた位置で運転又は各種設定操作を行うもので、現在、その種類も数多く考案されており、その機器の種類や用途に応じて、最適なリモコンの形態を選択できるものである。
【０００３】
例えば、常に離れた場所で操作するような機器で、安価に、かつノイズ等の影響を受けず、確実に遠隔制御を行いたい場合は、完全にリモコンを別設し有線で機器本体と接続するワイヤードリモコンを選択する。
【０００４】
また、本願発明のように室内で用いる燃焼器、例えばファンヒータ等のリモコンにおいては、操作場所を限定せず同一部屋内の任意の場所から操作できるものが望ましく、従来よりワイヤレスリモコンが一般的である。以下その構成を図９（ａ）と（ｂ）を用いて説明する。
【０００５】
図において３０は、ワイヤレスのリモコン本体であり、操作信号の送信手段として、電波を用いるものや赤外線を用いるものがあるが、共に機器本体３１側の受信部３２は機器本体３１に設けている主操作部３３の近傍に設け、リモコンで操作する場合は、その受信部３２に向けて信号を送ることで遠隔操作を行うようにしているものである。すなわち、従来のリモコン操作は、リモコン本体３０を機器本体３１から完全に離した状態でのみ操作可能にするという発想のもとに構成されたものであり、リモコン本体を機器本体３１に収納した状態でリモコン本体３０の操作を可能とし、主操作部３３とリモコン本体３０のどちら側でも操作ができるように構成したものではなかった。
【０００６】
また、リモコン本体３０の収納に関しては、機器本体３１側に収納部を設けず、専用のリモコン収納ケース３４を付属品として備え、使用者が部屋の任意の場所に前記収納ケースを設置し、そこに保管するという方法が多く、機器本体３１側に収納部を設けたものにおいても専用の収納ケース３４を機器本体の側面や背面に取り付け、そのポケット状のケース内にリモコンを収納するという形態のものであった。
【０００７】
【発明が解決しようとする課題】
上記したように、従来構成のリモコンにおいては、機器本体への装着状態が、別体で設けた樹脂製のリモコン収納ケースを機器本体の側面や背面に取り付け、そのポケット状の収納ケース内にリモコンを収納し、リモコン操作をするときのみ、そこから取り出し受信部に向けて操作信号を送信することでリモコンによる操作が可能になるというものであり、リモコン機能に限定した使用形態においては全く問題のない構成であるが、本願発明が解決しようとするリモコン機能に加えて、機器本体側での操作性において高齢者や幼児に対する操作の判り易さ及び簡便性を向上するという目的に関しては全く配慮がされていないものであった。
【０００８】
つまり、近年の燃焼器、例えばファンヒータ等においては燃焼制御という基本機能以外に各種機能を搭載し、使い勝手やメンテナンス性を向上させるようにしたものが数多く考案されている。そして、上記機能を作用させるため、主操作部には各種機能に対応した操作スイッチが配設され、複雑な構成を有するものである。このため、操作が複雑になり、特に高齢者や幼児においては操作方法が判りにくく、誤操作をしてしまうという心配もあり、極めて操作性を低下させるという課題を有するものであった。
【０００９】
また、近年においては暖房商品といえども、そのデザイン性は重視される傾向にあり、従来構成のように別体のリモコン収納ケースを機器本体の側面や背面に取り付け、そのケース内に収納するという形態は付属品的な印象は否めなく、見栄え面であまり好ましいものではなかった。
【００１０】
さらに、空気が乾燥した冬場に使用する暖房商品においては、静電気による誤動作に対する配慮が必要であり、従来のように樹脂製のリモコン収納ケース等に入れて保管するという形態にあっては、リモコン本体を取り出すとき静電気によりリモコン本体が破損してしまうという心配があった。
【００１１】
さらに、燃焼部を有する暖房商品の本体に取り付けるような場合は、多くの高温部を有するため、その耐熱性及び難燃性において特に配慮をする必要があり、従来のような樹脂製の収納ケースをそのまま本体に組み込んで使用することは問題があった。
【００１２】
本発明は上記課題を解決するもので、リモコンを本体前面に収納することで、機器本体の一構成部品としてデザイン性の向上を図るとともに、本体組み込み時の課題である耐熱性や難燃性の確保及び静電気に対する配慮をすることで、安全で使い勝手のよいリモコン取付構成を提供するものである。
【００１３】
【課題を解決するための手段】
上記課題を解決するために本発明は、機器本体に設けた主操作部と、機器本体の前面に設けたリモコンホルダーと、該リモコンホルダーに着脱自在に取り付け、少なくとも前記主操作部の操作スイッチより少なく操作スイッチを配したリモコン本体とを備え、前記リモコンホルダー裏面にはリモコン本体固定用磁石の磁石収納部を有し、かつ前記磁石を含むリモコンホルダー裏面を覆うごとく金属で形成した押さえ金具を配し、この押さえ金具に設けた切り起こし部で前記磁石をリモコンホルダー側に押さえ込み保持するようにしている。
【００１４】
上記発明によれば、リモコンホルダー裏面に取り付けた磁石でリモコン本体を固定するようにしているため、前面部の構成を簡素化することができ、リモコン本体を取り外した状態において、スッキリしたデザインを確保することができる。
【００１５】
また、リモコンホルダーに受光部を配するようにすれば、リモコン本体と受光部の位置関係を確実に確保することができ、機器本体に装着した状態で使用する場合に第２の操作部として確実に操作を行うことができる。
【００１６】
さらに、磁石を取り付けた状態でリモコンホルダー裏面を覆うように金属製の押さえ金具を配しているため、本体組み込み状態においても燃焼部からの高温の熱を遮断することができ、樹脂製のリモコンホルダーの耐熱性及び難燃性を確保することができるとともに、磁石を覆うごとく押さえ金具を配しているため、本体前板との間で磁気回路を形成する構成となり、磁力を効果的に活用することができ、小さな磁石でもリモコン本体を確実に固定することができる。
【００１７】
【発明の実施の形態】
本発明の請求項１に記載した燃焼装置は、機器本体に設けた主操作部と、機器本体の前面に設けたリモコンホルダーと、該リモコンホルダーに着脱自在に取り付け、少なくとも前記主操作部の操作スイッチより少なく操作スイッチを配したリモコン本体とを備え、前記リモコンホルダー裏面にはリモコン本体固定用磁石の磁石収納部を有し、かつ前記磁石を含むリモコンホルダー裏面を覆うごとく金属で形成した押さえ金具を配し、この押さえ金具に設けた切り起こし部で前記磁石をリモコンホルダー側に押さえ込み保持するようにしている。
【００１８】
上記発明によれば、リモコンホルダー裏面に取り付けた磁石でリモコン本体を固定するようにしているため、前面部の構成を簡素化することができ、リモコン本体を取り外した状態において、スッキリしたデザインを確保することができる。
【００１９】
また、リモコンホルダーに受光部を配するようにすれば、リモコン本体と受光部の位置関係を確実に確保することができ、機器本体に装着した状態で使用する場合に第２の操作部として確実に操作を行うことができる。
【００２０】
さらに、磁石を取り付けた状態でリモコンホルダー裏面を覆うように金属製の押さえ金具を配しているため、本体組み込み状態においても燃焼部からの高温の熱を遮断することができ、樹脂製のリモコンホルダーの耐熱性及び難燃性を確保することができるとともに、磁石を覆うごとく押さえ金具を配しているため、本体前板との間で磁気回路を形成する構成となり、磁力を効果的に活用することができ、小さな磁石でもリモコン本体を確実に固定することができる。
【００２１】
また、請求項２に記載した燃焼装置は、押さえ金具は磁性体で形成するとともに、切り起こし部には磁石取付時の位置規制用の保持片を有する構成としている。
【００２２】
そして、押さえ金具を磁性体で形成することで、押さえ金具側に磁石を取り付けた状態でリモコンホルダー裏面の収納部に磁石を納めることができるため、組立作業が極めて容易にでき、作業工数の削減を図ることができる。
【００２３】
また、請求項３に記載した燃焼装置は、押さえ金具には本体と電気的に接続される箇所を少なくとも１箇所以上有する構成としている。
【００２４】
そして、リモコンホルダー裏面に配した押さえ金具と本体間を電気的に接続した構成とすることで、リモコン本体着脱時に人体の持つ静電気を押さえ金具を介して本体側に放電させることができ、リモコン側への影響を回避して安全なリモコン操作を提供することができる。
【００２５】
また、請求項４に記載した燃焼装置は、本体前板に複数の折曲片を有するリモコンホルダー取付用開口部を設け、前記折曲片を前記リモコンホルダーに設けた取付孔に挿入して前記リモコンホルダーを前記前板に一体化して取り付けたとき、前記折曲片とリモコンホルダー裏面を覆う押さえ金具に設けた接触片が常に接触するように構成している。
【００２６】
そして、リモコンホルダーを本体前板に一体化して取り付けることで、押さえ金具と前板を常に接触状態に保持することができるため、メンテナンス等で前板を頻繁に取り外すような場合でも確実に前記状態を保持することができ、静電気によるリモコン側への影響を回避して安全なリモコン操作を提供することができる。
【００２７】
【実施例】
（実施例１）
以下、本発明の実施例１を図１から図６を用いて説明すると、１は機器本体、２は本体ケ−ス、３は天板、４は前板で、前面には係止爪５を有する折曲片６を備えたリモコンホルダ−７を取り付けるリモコンホルダ−取付用開口部８を、また該リモコンホルダ−取付用開口部８の近傍で、天面の一部を形成する天斜面部９には、主操作部１０を臨む如く開けられた天部開口孔１１を有している。前記主操作部１０は運転「入・切」スイッチの他複数個の操作スイッチ１２と前記リモコンホルダ−７の近傍に表示が変更する設定温度表示器１３と室温表示器１４の表示部Ｅを備え、操作スイッチ１２の操作により設定温度表示器１３と室温表示器１４に現在時刻や、運転入りタイマ−設定時刻を表示させることもできる操作部１５と、前記ケ−ス２と天板３にねじ止め固定され、前記操作部１５を固定支持する取付金具１５ａにより構成されている。
【００２８】
１６はリモコン本体であり、赤外線を利用したリモコン信号発信部１６ａと、運転「切」スイッチ、設定温度調節スイッチ等を備えてはいるが、前記主操作部１０の操作スイッチ数より少ない数のリモコン側操作スイッチＳと、裏面１６ｂには鉄板等の磁性体１７が貼り付けてある。
【００２９】
前記リモコンホルダ−７には、リモコン本体１６を収納する凹形状のリモコン収納部１８を有し、該リモコン収納部１８は前記リモコン本体１６を収納した状態において、前記リモコン本体１６の一部または全部が機器本体１の前板４よりも沈み込む構成となっている。
【００３０】
また、このリモコン収納部１８は、略垂直平面１８ａと傾斜面１８ｂを備えるとともに、この略垂直平面１８ａと傾斜面１８ｂの境界部Ｋを軸として、前記リモコン本体１６が前記傾斜面１８ｂに当接するまで回動できるようになっている。
【００３１】
また、リモコンホルダ−裏面１８ｃには、前記リモコン本体１６の裏面１６ｂに貼り付けられた磁性体１７と相対する位置にリモコン本体固定用の磁石１９を収納する磁石収納部１８ｄを有しており、前記磁石１９によりリモコン本体１６を着脱自在に保持し、リモコンホルダ−７への収納形態を確保している。
【００３２】
また、上記リモコンホルダ−７には、複数個の取付孔２０が設けられており、前記前板４のリモコンホルダ−取付用開口部８に設けられた複数個の係止爪５を有する折曲片６に前記取付孔２０を挿入すると、前記係止爪５がリモコンホルダ−７を係止することにより、機器本体１の前面の前板４に一体化して取り付けられている。
【００３３】
また、上記リモコンホルダ−７には、複数個の係合孔２１が設けられており、この係合孔２１に係合する複数個の係止部２２を備えるとともに、前面と下面と側面と天面を備えた赤外線透過樹脂で一体成形された受光カバ−２３が一体化して取り付けられている。
【００３４】
また、上記リモコンホルダ−７には、リモコンホルダ−裏面１８ｃを覆うごとく金属で形成した押さえ金具２４が一体的に取り付けられており、前記押さえ金具２４は前記磁石１９をリモコンホルダ−７側に押さえ込むための切り起こし部２５と、常に前記前板４に設けられた折曲片６と接触させることにより機器本体１側とリモコン側とを電気的に接続する接触片２６を備えている。
【００３５】
２７はリモコン本体１６からのリモコン信号を受光する受光素子２８を備えた受光ユニットで、前記主操作部１０を構成する取付金具１５ａに、前記受光カバ−２３と相対する位置で、機器本体１の前方からリモコン信号が出た場合はもちろん、さらに、前記リモコン本体１６がリモコンホルダ−７の略垂直平面１８ａと当接状態にあるときはリモコン本体１６からのリモコン信号を受光し、前記リモコン本体１６がリモコンホルダ−７の傾斜面１８ｂと当接状態にある時は、リモコン本体１６からのリモコン信号を受光しないような一に配設されており、受光したリモコン信号は配線Ｒを介して主操作部１０へと送られ、配線Ｒを主操作部１０に収束させている。
【００３６】
上記のように、リモコン信号は全て受光カバ−２３を透過した後に受光ユニット２７で受光するようになっている。すなわち、前記受光カバ−２３と受光ユニット２７とで受光部２９を構成しており、受光部２９とリモコンホルダ−７を一体化することにより、リモコン本体１６が収納された状態であってもリモコン信号が受光できるようになっている。
【００３７】
次に上記構成において、機器本体１の運転方法を説明する。
【００３８】
まず、主操作部１０の操作のみで運転を行う場合は、操作スイッチ１２の操作により、運転の「入」・「切」や、設定温度調節や、運転入りタイマ−時刻設定等の全ての機能を使うことができる。
【００３９】
次にリモコンホルダ−７のリモコン収納部１８にリモコン本体１６を収納した状態で、リモコン本体１６を使って操作する場合について説明する。
【００４０】
この場合は、予め主操作部１０にて、運転「入・切」スイチを「入」の状態にしておく必要があるが、最も使用頻度が高い設定温度調節や、運転「切」操作はできるようになっており、操作スイッチ数を通常使用時に必要な最小限の数としてあるので、どのスイッチを押せばいいのかが誰にでも明確に判断できるようなっている。
【００４１】
また本実施例では、リモコン本体１６が主操作部１０の表示部Ｅである、設定温度表示器１３と室温表示器１４近傍の前板４の前面に収納されていることにより、主操作部１０を操作した時と同様に、リモコン本体１６を操作した時も設定温度表示器１３と室温表示器１４を見ながら操作できるようになている。
【００４２】
さらに、リモコン本体の裏面１６ｂに貼り付けた磁性体１７が、リモコンホルダ−裏面１８ｃに設けられた磁石収納部１８ｄに、前記押さえ金具２４に設けられた切り起こし部２５により押さえ込まれた磁石１９の磁力により保持されていることより、リモコン本体１６と受光部２９との位置関係を確保でき、リモコン信号発信部１６ａから受光部２９の受光素子２８へ、確実にリモコン信号を送ることができる。
【００４３】
次に、リモコン本体１６をリモコンホルダ−７より取り出す場合について説明する。
【００４４】
リモコン本体１６をリモコンホルダ−７より取り出す場合には、図１（ａ）に示すように、まずリモコン本体１６の下部１６ｃを矢印Ｆ方向に、リモコン本体１６がリモコンホルダ−７の略垂直平面１８ａと傾斜面１８ｂの境界部Ｋを軸として回動し、傾斜面１８ｂに当接するまで押す。すると、リモコンホルダ−７の略垂直平面１８ａに対向するリモコンホルダ−裏面１８ｃの磁石収納部１８ｄに保持された磁石１９に相対するリモコン本体１６の磁性体１７との間の保持力が少なくなり、反対に傾斜面１８ｂに対向するリモコンホルダ−裏面１８ｃの磁石収納部１８ｄに保持された磁石１９に相対するリモコン本体１６の磁性体１７との間の保持力が大きくなることにより、図１（ｂ）に示すようにリモコン本体１６はリモコンホルダ−７の傾斜面１８ｂに沿った状態、すなわちリモコン本体１６が前方に飛び出した状態で保持される。磁石１９はこの状態でリモコン本体１６が容易に脱落しない磁力としているので、使用者は確実かつ簡単にリモコン本体１６をリモコンホルダ−７より取り外すことができる。
【００４５】
リモコン本体１６を取り外した後は図６（ｂ）に示すように、リモコン本体１６のリモコン信号発信部１６ａを受光カバ−２３に向けた状態でリモコン側操作スイチＳを操作すれば、機器本体１から離れた場所からであっても、リモコン本体１６の収納時と同様に機器を操作できるのである。
【００４６】
外されたリモコン本体１６は磁性体１７を有するのみであるので、磁石１９が接着固定されているリモコンホルダ−７のリモコン収納部１８以外の機器本体１の外周に吸着させることはできないようになっている。
【００４７】
次に、前板４を取り付けたり、取り外したりする機器本体１の組立、あるいはメンテナンス時について説明する。
【００４８】
リモコンホルダ−７は、前板４に一体的に取り付けられていることにより、組立、あるいはメンテナンス時に両者を嵌合させる必要がないので、前板４を取り付ける際にリモコンホルダ−７あるいは受光カバ−２３を傷付ける心配がないとともに、前板４のリモコンホルダ−取付用開口部８とリモコンホルダ−７の嵌合隙間を最小限にすることができる。
【００４９】
さらに、リモコンホルダ−７には、押さえ金具２４が一体的に取り付けられていることにより、前板４の折曲片６と押さえ金具２４に設けられた接触片２６との電気的接続が常に確保されており、例えば、リモコンホルダ−７と受光カバ−２３との取り付け部にある僅かな隙間から静電気が入ったとしても、受光ユニット２７に達する前に押さえ金具２４から接触片２６と折曲片６を介して前板４へと静電気を確実に逃がすことができる。
【００５０】
また受光部Ｅにおいて、受光ユニット２７が受光カバ−２３と分離していることと、受光ユニット２７の配線Ｒを主操作部１０に収束させていることにより、前板４を取り付ける際に配線Ｒを前板４と本体ケ−ス２との間に噛み込ませることがない。
【００５１】
また、前板４を取り外す際にも前板４側に配線類が一切ないことにより、取り外し作業性が非常に良い構成となっている。
【００５２】
（実施例２）
図７（ａ）と（ｂ）と図８は本発明の実施例２の燃焼装置のリモコン部を示す図である。
【００５３】
図において、２５ａは鉄板等の磁性体で形成された押さえ金具２４の切り起こし部２５に設けられた磁石１９取り付け時の位置規制用の保持片である。前記磁石１９をリモコンホルダ−７の磁石収納部１８ｄに収納する際には、まず、切り起こし部２５に磁石１９を取り付ける。この時、磁石１９は保持片２５ａにより位置規制されていることにより、押さえ金具２４をリモコンホルダ−裏面１８ｃに取り付ける際にも磁石１９が磁性体で形成された取り付け金具２４の他の部分に吸着することはなく、確実に磁石収納部１８ｄへと磁石１９を収納することができる。
【００５４】
また、押さえ金具２４を性体で形成することにより、磁石１９により押さえ金具２４も磁化され、リモコン本体１６を保持する磁力を増やすことができる。
【００５５】
また、本実施例ではリモコンホルダ−を非磁性体である樹脂により成形しており、磁石１９を磁石収納部１８ｄで囲っていることにより、磁石１９の磁力線の大部分は押さえ金具２４側に向かって形成され、より確実に押さえ金具２４を磁化させてリモコン本体１６を保持するようにしている。
【００５６】
【発明の効果】
以上のように請求項１に記載した燃焼装置によれば、リモコンホルダー裏面に取り付けた磁石でリモコン本体を固定するようにしているため、前面部の構成を簡素化することができ、リモコン本体を取り外した状態において、スッキリしたデザインを確保することができる。
【００５７】
また、リモコンホルダーに受光部を配するようにすれば、リモコン本体と受光部の位置関係を確実に確保することができ、機器本体に装着した状態で使用する場合に第２の操作部として確実に操作を行うことができる。
【００５８】
さらに、磁石を取り付けた状態でリモコンホルダー裏面を覆うように金属製の押さえ金具を配しているため、本体組み込み状態においても燃焼部からの高温の熱を遮断することができ、樹脂製のリモコンホルダーの耐熱性及び難燃性を確保することができるとともに、磁石を覆うごとく押さえ金具を配しているため、本体前板との間で磁気回路を形成する構成となり、磁力を効果的に活用することができ、小さな磁石でもリモコン本体を確実に固定することができる。
【００５９】
また、請求項２に記載した燃焼装置によれば、押さえ金具を磁性体で形成することで、押さえ金具側に磁石を取り付けた状態でリモコンホルダー裏面の磁石収納部に磁石を納めることができるため、組立作業が極めて容易にでき、作業工数の削減を図ることができる。
【００６０】
また、請求項３に記載した燃焼装置によれば、リモコンホルダー裏面に配した押さえ金具と本体間を電気的に接続した構成とすることで、リモコン本体着脱時に人体の持つ静電気を押さえ金具を介して本体側に放電させることができ、リモコン側への影響を回避して安全なリモコン操作を提供することができる。
【００６１】
また、請求項４に記載した燃焼装置によれば、リモコンホルダーを本体前板に一体化して取り付けることで、押さえ金具と前板を常に接触状態に保持することができるため、メンテナンス等で前板を頻繁に取り外すような場合でも確実に前記状態を保持することができ、静電気によるリモコン側への影響を回避して安全なリモコン操作を提供することができる。
【図面の簡単な説明】
【図１】（ａ）本発明の実施例１における燃焼装置のリモコン収納状態を示す断面図
（ｂ）同燃焼装置のリモコン回動状態を示す断面図
【図２】同燃焼装置のリモコン部の分解斜視図
【図３】同燃焼装置の前板を外した状態を示す斜視図
【図４】同燃焼装置のリモコン本体を背面より見た斜視図
【図５】同燃焼装置の前板とリモコンホルダ−の係止状態を示す断面図
【図６】（ａ）同燃焼装置の外観図
（ｂ）同燃焼装置のリモコン本体を取り外した状態の外観図
【図７】（ａ）本発明の実施例２における燃焼装置のリモコン収納状態を示す断面図
（ｂ）同燃焼装置のリモコン回動状態を示す断面図
【図８】同燃焼装置のリモコン部の分解斜視図
【図９】（ａ）従来の燃焼装置とリモコン収納ケ−スを示す外観図
（ｂ）同従来の燃焼装置とリモコン収納ケ−スを示す他構成の実施例の外観図
【符号の説明】
１  機器本体
７  リモコンホルダ−
１０  主操作部
１６  リモコン本体
１８ｃ  リモコンホルダ−裏面
１９  磁石
２４  押さえ金具
２５  切り起こし部
【図１】
0004081925.tif 000002
【図２】
0004081925.tif 000003
【図３】
0004081925.tif 000004
【図４】
0004081925.tif 000005
【図５】
0004081925.tif 000006
【図６】
0004081925.tif 000007
【図７】
0004081925.tif 000008
【図８】
0004081925.tif 000009
【図９】
0004081925.tif 000010